(57)【要約】【課題】セキュリティ管理が増々向上している現状において、指の挿入、配置にクセが発生して認証失敗しているような場合にあってもクセであることを判定することによって使い易い個人認証装置および個人認証方法を提供する。【解決手段】認証用画像（１）と登録画像についての比較照合の結果によって同一性を判定する前記同一性を判定する手段、同一性の判定によって照合不一致とされ、照合失敗で出力されたときに、同一指について認証用画像（２）を取得する手段、取得された認証用画像（２）を登録画像に比較照合する手段、比較照合によって照合一致とされて個人認証されたときに、認証用画像（１）を登録画像に関連づけて登録する手段、および認証用画像（１）を登録画像の一部として編集する手段とを有して構成される。【選択図】図２
2008097388.tif 000002
【特許請求の範囲】
【請求項１】
認証用の生体情報の認証用画像と予め登録しておいた生体情報の登録画像とを比較照合する手段、比較照合の結果によって同一性を判定する手段を有して個人認証を行う個人認証装置において、
認証用画像（１）と登録画像についての比較照合の結果によって同一性を判定する前記同一性を判定する手段、同一性の判定によって照合不一致とされ、照合失敗で出力されたときに、同一指について認証用画像（２）を取得する手段、取得された認証用画像（２）を登録画像に比較照合する手段、比較照合によって照合一致とされて個人認証されたときに、認証用画像（１）を登録画像に関連づけて登録する手段、および認証用画像（１）を登録画像の一部として編集する手段とを有して構成されることを特徴とする個人認証装置。
【請求項２】
認証用の生体情報の認証用画像と予め登録しておいた生体情報の登録画像とを比較照合する手段、比較照合の結果によって同一性を判定する手段を有して個人認証を行う個人認証装置において、
認証用画像（１）と登録画像についての比較照合の結果によって同一性を判定する前記同一性を判定する手段、同一性の判定によって照合不一致とされ、照合失敗で出力されたときの、判定しきい値に対して照合値が該判定しきい値の近傍にあったかを判別する手段、近傍にあったと判別されたときに、認証用画像（２）を取得する手段、取得された認証用画像（２）を登録画像に比較照合する手段、比較照合によって照合一致とされて個人認証されたときに、認証用画像（１）を登録画像に関連づけて登録する手段、および認証用画像（１）を登録画像の一部として編集する手段とを有して構成されることを特徴とする個人認証装置。
【請求項３】
請求項１または２において、前記近傍にあったと判別されたときに、指について再度認証用画像を取得するように依頼表示する手段を有して、該依頼表示する手段による依頼表示の結果に基づいて前記認証用画像（２）を取得することを特徴とする個人認証装置。
【請求項４】
請求項１または２において、前記編集する手段は、登録画像を羅列状態で編集することを特徴とする個人認証装置。
【請求項５】
請求項１または２において、前記編集する手段は、後に登録される画像を先に登録された画像に対してツリー状に編集することを特徴とする個人認証装置。
【請求項６】
認証用の生体情報の認証用画像と予め登録しておいた生体情報の登録画像とを比較照合する手段、比較照合の結果によって同一性を判定する手段を有して個人認証を行う個人認証装置による個人認証方法において、
認証用画像（１）と登録画像についての比較照合の結果によって同一性を判定し、同一性の判定によって照合不一致とされ、照合失敗で出力されたときに、同一指について認証用画像（２）を取得し、取得された認証用画像（２）を登録画像に比較照合し、比較照合によって照合一致とされて個人認証されたときに、認証用画像（１）を登録画像に関連づけて登録し、および認証用画像（１）を登録画像の一部として編集することを特徴とする個人認証方法。
【請求項７】
認証用の生体情報の認証用画像と予め登録しておいた生体情報の登録画像とを比較照合する手段、比較照合の結果によって同一性を判定する手段を有して個人認証を行う個人認証装置による個人認証方法において、
認証用画像（１）と登録画像についての比較照合の結果によって同一性を判定し、同一性の判定によって照合不一致とされ、照合失敗で出力されたときの、判定しきい値に対して照合値が該判定しきい値の近傍にあったかを判別し、近傍にあったと判別されたときに、認証用画像（２）を取得し、取得された認証用画像（２）を登録画像に比較照合し、比較照合によって照合一致とされて個人認証されたときに、認証用画像（１）を登録画像に関連づけて登録し、および認証用画像（１）を登録画像の一部として編集することを特徴とする個人認証方法。
【発明の詳細な説明】
【技術分野】
【０００１】
本発明は、個人認証装置および個人認証方法に関する。
【背景技術】
【０００２】
特許文献１には、指紋による本人認証に失敗した場合、虹彩読取部に虹彩を読み取らせることで、本人認証を行うことが記載されている。
【０００３】
特許文献２には、被写体の撮影状態を判断し、不適切である場合には修正指示を与え、適切な状態になった時点で撮影を行い、ユーザの所望した状態の撮影、最適な認証対象状態で認証を行うことが記載されている。
【０００４】
特許文献３には、クセ情報の個人識別情報を利用して本人確認を行うようにすることが記載されている。
【０００５】
特許文献４には、手の甲、他の身体部分の異なる位置の複数の血管パターン情報を照合データとして位置情報に対応付けて格納し、これらの複数情報からランダムに位置を決定して選択した情報を照合データとして使用し、不正な第三者が登録ユーザの特定の１つのバイオメトリクス情報を取得し複製に成功した場合であっても、認証に成功することを困難となし、個人認証処理における高度なセキュリティ管理を可能にすることが記載されている。
【０００６】
【特許文献１】特開２００５−３８２５７号公報
【特許文献２】特開２００５−１４９３７０号公報
【特許文献３】特開平１１−１６７５５３号公報
【特許文献４】特開２００３−５８５０８号公報
【発明の開示】
【発明が解決しようとする課題】
【０００７】
上記特許文献に示すように個人認証装置は高度なセキュリティ管理が可能となっており、この傾向は今後もますます継続していくものと思われる。
人間にはクセがあり、個人認証に失敗する人には、イタズラのような不正使用をする場合を除いていつも同じクセによる指の挿入、配置に問題がある。
【０００８】
本発明は、セキュリティ管理が増々向上している現状において、指の挿入、配置にクセが発生して認証失敗しているような場合にあってもクセであることを判定することによって使い易い個人認証装置および個人認証方法を提供することを目的とする。
【課題を解決するための手段】
【０００９】
本発明は、認証用の生体情報の認証用画像と予め登録しておいた生体情報の登録画像とを比較照合する手段、比較照合の結果によって同一性を判定する手段を有して個人認証を行う個人認証装置において、
認証用画像（１）と登録画像についての比較照合の結果によって同一性を判定する前記同一性を判定する手段、同一性の判定によって照合不一致とされ、照合失敗で出力されたときに、同一指について認証用画像（２）を取得する手段、取得された認証用画像（２）を登録画像に比較照合する手段、比較照合によって照合一致とされて個人認証されたときに、認証用画像（１）を登録画像に関連づけて登録する手段、および認証用画像（１）を登録画像の一部として編集する手段とを有して構成されることを特徴とする個人認証装置およびこの個人認証装置による個人認証方法を提供する。
【００１０】
また、本発明は、認証用の生体情報の認証用画像と予め登録しておいた生体情報の登録画像とを比較照合する手段、比較照合の結果によって同一性を判定する手段を有して個人認証を行う個人認証装置において、
認証用画像（１）と登録画像についての比較照合の結果によって同一性を判定する前記同一性を判定する手段、同一性の判定によって照合不一致とされ、照合失敗で出力されたときの、判定しきい値に対して照合値が該判定しきい値の近傍にあったかを判別する手段、近傍にあったと判別されたときに、認証用画像（２）を取得する手段、取得された認証用画像（２）を登録画像に比較照合する手段、比較照合によって照合一致とされて個人認証されたときに、認証用画像（１）を登録画像に関連づけて登録する手段、および認証用画像（１）を登録画像の一部として編集する手段とを有して構成されることを特徴とする個人認証装置およびこの個人認証装置による個人認証方法を提供する。
【００１１】
また、上述の装置および方法において、前記近傍にあったと判別されたときに、指について再度認証用画像を取得するように依頼表示する手段を有して、該依頼表示する手段による依頼表示の結果に基づいて前記認証用画像（２）を取得することを特徴とする個人認証装置および個人認証方法を提供する。
【００１２】
また、上述の装置および方法において、前記編集する手段は、登録画像を羅列状態で編集することを特徴とする個人認証装置および個人認証方法を提供する。
【００１３】
また、上述の装置および方法において、前記編集する手段は、後に登録される画像を先に登録された画像に対してツリー状に編集することを特徴とする個人認証装置および個人認証方法を提供する。
【発明の効果】
【００１４】
本発明によれば上述のように登録画像を拡張するように編集しており、これによってセキュリティ管理が増々向上している現状において、指の挿入、配置にクセが発生して認証失敗しているような場合にあってもクセであることを判定することによって使い易い個人認証装置および個人認証方法を提供することができる。
【発明を実施するための最良の形態】
【００１５】
以下、本発明の実施例の構成を図面に基づいて説明する。
【実施例】
【００１６】
図１は、本発明の実施例の構成をブロックで示す図であり、図２は、図１に示す本実施例の機能を示す図である。
図１において、本実施例の個人認証装置１００は、ＣＰＵ１、これに接続されるバス２、生体情報読み取り手段３、表示部４を有し、更に具体的には比較照合手段５、同一性判定手段６、登録手段（登録指示手段）７、依頼表示手段８、編集手段９および記憶媒体１０を備え、記憶媒体１０は一部が外部に配置されるサーバとすることができる。
【００１７】
個人認証装置１００は、認証用の生体情報の認証用画像を読み取り、予め登録しておいた生体情報の登録画像を取り出して両画像を比較照合手段５によって照合し、同一性判定手段６によって比較照合の結果に基づいて同一性を判定し、個人認証を行う。同一性判定の手法には各種文献に記載されており、その典型的例が判定しきい値を越えているかによって判断するものである。
【００１８】
記憶媒体１０は、ＣＰＵ１で使用される各種プログラムおよびデータを記憶しているが、特に登録画像を編集して登録していることが重要である。その１例として登録画像８０は羅列状態に登録画像（１）８１および登録画像（２）８３のようにして編集され、汎用的とされる。他の例として登録画像８０は登録画像（１）８２、登録画像（２）８３が、または登録画像（１０）８４、登録画像（１１）８５がツリー状に編集され、それぞれ使用目的に対応したツリーとされる。この編集を行う方法について以下、説明する。
【００１９】
図２は、比較照合手段５および同一性判定手段６の機能を示す。
図２において登録画像２２は予め登録された登録画像（１）によって構成される。生体情報読み取り手段３によって認証用画像（１）２２が取得され、登録画像（１）と認証画像（１）２２との比較照合２３が比較照合手段５によってなされる。この比較照合の結果に基づいて照合一致、逆に言えば照合不一致２４が判定される。照合一致、照合不一致は予め定めた判定しきい値との比較によってなされる。
【００２０】
照合不一致の場合は照合失敗となり、照合一致の場合は照合成功となる。特に、照合失敗の場合にどのような状態で照合失敗となっているかが判別される。すなわち、照合判別２５がなされる。例えば、個人認証しようとする人間のクセによって照合失敗となっている場合が想定される。このような場合、照合値は判定しきい値に比べてわずかに小さく、判定しきい値の近傍にあることが想定される。
【００２１】
クセによって、照合失敗となっている場合には是正して使えば使う程使用し易いものとされることがユーザにとって重要である。照合失敗し、照合値が判定しきい値の近傍にあるとき（これは予定設定したしきい値によって判別することができる。）、生体情報読み取り手段３に対する同一指の挿入、配置し直し依頼を生体情報読み取り手段３自体に、あるいは別装置に表示したり、音声によって表示することを行う。すなわち依頼表示手段８により指の挿入、配置直し依頼表示２６を行う。
【００２２】
このような依頼表示を行うと、個人認証を行うユーザは改めて再度認証手続を行なうことになり、認証用画像（２）２７が取得される。この取得された認証用画像（２）２７が前回同様に登録画像（１）２１とが比較照合２８がなされることになる。
【００２３】
比較照合の結果に基づいて照合一致２９が前回同様に判定され、クセ是正に伴なって照合成功となる。この照合成功となった場合、前回の照合失敗はクセに伴う認証失敗であるとして、認証用画像（１）を登録画像（１）２１に関連づけて登録手段７によって記憶媒体１０に登録３０する。これによって、編集手段９によって新たに登録した認証用画像（１）２２を登録画像２１の一部の登録画像（２）として編集３１する。
【００２４】
この場合の編集の仕方については先に図１について記述した。繰り返せば、その１例として登録画像８０は羅列状態に登録画像（１）８１および登録画像（２）８２のようにして編集され、汎用的とされる。他の例として登録画像８０は、登録画像（１）８２、登録画像（２）８３が、また登録画像（１０）８４、登録画像（１１）８５がツリー状に編集され、それぞれ使用目的に対応したツリーとされる。
【００２５】
これによって登録画像は登録画像（１）と登録画像（２）から構成されることになり、次回の認証に際しては登録画像（１）および登録画像（２）のいずれが使用、例えば登録画像（１）による照合失敗があった場合に登録画像（２）が使用され（３２）、クセのある認証用画像が読み取りされた場合にあってもこの認証用画像が読み取りされて、この認証用画像は登録画像（２）と同一性有りと判定され、個人認証が正しくなされ、しかも繰り返して挿入、配置し直すことを要しなくなり、ユーザは使い易く、かつ生体認証に対する抵抗感が和らぐことになる。
【００２６】
上記の例にあっては、照合状態判別（２５）機能を有するものとして説明したが、場合によってはこの照合状態判別機能を割愛することができる。
【００２７】
従って、上述の本実施例によれば、認証用画像（１）２２と登録画像２１についての比較照合２３の結果によって同一性を判定する同一性を判定する手段６、同一性の判定によって照合不一致２４とされ、照合失敗で出力されたときに、同一指について認証用画像（２）２７を取得する手段３、取得された認証用画像（２）２７を登録画像に比較照合２８する手段５、比較照合によって照合一致２９とされて個人認証されたときに、認証用画像（１）２２を登録画像２１に関連づけて登録する手段７、および認証用画像（１）２２を登録画像２１の一部として編集する手段９とを有する個人認証装置１００が構成される。
【００２８】
また、認証用画像（１）２２と登録画像２１についての比較照合２３の結果によって同一性を判定する前記同一性を判定する手段６、同一性の判定によって照合不一致２４とされ、照合失敗で出力されたときの、判定しきい値に対して照合値が該判定しきい値の近傍にあったかを判別する手段２５、近傍にあったと判別されたときに、認証用画像（２）２７を取得する手段３、取得された認証用画像（２）２７を登録画像に比較照合２８する手段５、比較照合によって照合一致２９とされて個人認証されたときに、認証用画像（１）２２を登録画像２１に関連づけて登録する手段７および認証用画像（１）２２を登録画像２１の一部として編集する手段９とを有する個人認証装置が構成される。
【００２９】
近傍にあったと判別されたときに、指について再度認証用画像を取得するように依頼表示２６する手段４を有して、依頼表示する手段４による依頼表示の結果に基づいて認証用画像（２）２７を取得する個人認証装置が構成される。
【００３０】
上述の実施例によれば、本人のクセに原因して本人認証に失敗したような場合、照合失敗でありながら登録画像との類似度が高いことを利用して再度認証画像を取得して本人であることを確認した上で、照合失敗した認証画像を登録画像の一部として編集することができ、この編集によって使い込めば使い込む程使い勝手がよくユーザが安心して使用できる個人認証装置、個人認証方法が提供されることになる。
【００３１】
図３は、本実施例のフローを示す図である。
図３において、認証用画像（１）が取得され（Ｓ１）、登録画像（１）との比較照合（Ｓ２）がなされる。照合不一致（あるいは照合一致）が判定され（Ｓ３）、照合一致の場合、照合成功として本人認証（Ｓ４）がなされ、照合不一致の場合、照合失敗として他人認証（Ｓ５）がなされる。
【００３２】
照合失敗の場合、照合状態、すなわち判定しきい値に対して照合値がかい離しているかが判別（照合状態の判別（Ｓ６））がなされ、照合状態が小、すなわちかい離が大きい場合には他人認証確認（Ｓ７）がなされ、照合状態が大、すなわちかい離が小さい場合には指の挿入、配置直し依頼表示（Ｓ８）がなされる。これによって、認証用画像（２）の取得（Ｓ９）がなされ、登録画像（１）と認証用画像（２）の比較照合（Ｓ１０）がなされ、照合一致（Ｓ１１）が判定される。照合一致判定によって不一致とされると、他人認証確認（Ｓ１２）がなされ、一致とされると、本人認証（Ｓ１３）がなされる。
【００３３】
本人認証がなされると、前回の認証用画像（１）を登録画像（１）に関連づけて登録するよう指示（Ｓ１４）がなされ、新たに登録する認証用画像（１）を登録画像の一部である登録画像（２）とする（Ｓ１５）、これに基づいて、前述した手法に基づいて登録画像の編集（Ｓ１６）を行う。この編集された登録画像が次回の認証時に使用される。
【００３４】
この実施例によれば、認証用画像（１）と登録画像についての比較照合の結果によって同一性を判定し、同一性の判定によって照合不一致とされ、照合失敗で出力されたときに、同一指について認証用画像（２）を取得し、取得された認証用画像（２）を登録画像に比較照合し、比較照合によって照合一致とされて個人認証されたときに、認証用画像（１）を登録画像に関連づけて登録し、および認証用画像（１）を登録画像の一部として編集する個人認証方法が構成される。
【００３５】
また、認証用画像（１）と登録画像についての比較照合の結果によって同一性を判定し、同一性の判定によって照合不一致とされ、照合失敗で出力されたときの、判定しきい値に対して照合値が該判定しきい値の近傍にあったかを判別し、近傍にあったと判別されたときに、認証用画像（２）を取得し、取得された認証用画像（２）を登録画像に比較照合し、比較照合によって照合一致とされて個人認証されたときに、認証用画像（１）を登録画像に関連づけて登録し、および認証用画像（１）を登録画像の一部として編集することを特徴とする個人認証方法が構成される。
【図面の簡単な説明】
【００３６】
【図１】本発明の実施例の構成を示すブロック図。
【図２】図１に示す一部構成の持つ機能を示す図。
【図３】本実施例のフローチャート図。
【符号の説明】
【００３７】
１…ＣＰＵ、２…バス、３…生体情報読み取り手段、４…表示部、５…比較照合手段、６…同一性判定手段、７…登録手段、８…依頼表示手段、９…編集手段、１０…記憶媒体（記憶手段、サーバ）、８０…登録画像、８１…登録画像（１）、８２…登録画像（２）、８４…登録画像（１０）、８５…登録画像（１１）、１００…個人認証装置。
【図１】
2008097388.tif 000003
【図２】
2008097388.tif 000004
【図３】
2008097388.tif 000005